(57)【要約】【課題】  処理内容に応じてアイコンを表示して、待ち時間が長い場合においてもユーザのストレスを軽減させるようにした表示装置及びそれを内蔵した電子機器を提供する。【解決手段】  操作者の操作内容に対応した操作信号を発生する操作部１１と、画像データが格納されたメモリカードと、表示部１７と、操作手段の操作信号に基づいて表示部１７に画像データによる画像を表示させるとともに、操作信号に基づいて表示画像を変更する際に、操作処理内容に対応したアイコンを表示部１７表示させるＣＰＵ１０とを備えている。【選択図】        図１
2005242699.tif 000002
【特許請求の範囲】
【請求項１】
操作者の操作内容に対応した操作信号を発生する操作手段と、
表示手段と、
前記操作手段の操作信号に基づいて、記憶手段に格納された画像データを読み出し、前記表示手段に前記画像データによる画像を表示させるとともに、前記操作信号に基づいて表示画像を変更する際に、操作処理中であることを示すアイコンを、その操作内容に応じた位置に表示させる演算手段と
を備えたことを特徴とする画像表示装置。
【請求項２】
操作者の操作内容に対応した操作信号を発生する操作手段と、
表示手段と、
前記操作手段の操作信号に基づいて、記憶手段に格納された画像データを読み出し、前記表示手段に前記画像データによる画像を表示させるとともに、前記操作信号に基づいて表示画像を変更する際に、前記操作処理内容に対応した形態のアイコンを前記表示手段に表示させる演算手段と
を備えたことを特徴とする画像表示装置。
【請求項３】
前記演算手段は、前記アイコンを前記操作内容に対応した位置に表示させることを特徴とする請求項２記載の画像表示装置。
【請求項４】
前記演算手段は、前記操作信号に基づいて表示画像を変更する際に、その変更処理が完了するまのでの所要時間又は所要処理量に対する現在までの処理量を示す情報を前記表示手段に表示させることを特徴とする請求項１〜３の何れかに記載の画像表示装置。
【請求項５】
前記演算手段は、前記画像データに含まれる付加情報を前記表示手段に表示させることを特徴とする請求項１〜４の何れかに記載の画像表示装置。
【請求項６】
請求項１〜５の何れかに記載の画像表示装置を搭載したことを特徴とする電子機器。
【発明の詳細な説明】
【技術分野】
【０００１】
本発明は、デジタルカメラ等の画像を表示する画像表示装置及びそれを内蔵した電子機器に関し、特に操作処理中の待機時の画像表示に関する。
【背景技術】
【０００２】
従来デジタルカメラ等の画像を表示する画像表示装置においては、例えば操作処理による待ち時間が長いものには、砂時計やプログレスバーを表示して処理の進行程度を表示したりするものがある（例えば特許文献１）。
【特許文献１】特開２００１−２１１３５６号公報
【発明の開示】
【発明が解決しようとする課題】
【０００３】
上記のように、操作処理の進行程度や通信中である旨を表示したりすることにより処理中であることを把握することができるが、それらの表示は処理内容に関係なく同じであり、このため、アイコンを見ただけでは具体的にどのような処理を行っているのかが分からず、特に待ち時間が長いとユーザはストレスを感じたり、処理が正常になされるかどうかについて不安になるという問題点がある。
【０００４】
本発明は、このような問題点を解決するためになされたものであり、待ち時間が長い場合においても、ユーザのストレスが軽減されるようにした表示装置及びそれを内蔵した電子機器を提供することを目的とする。
【課題を解決するための手段】
【０００５】
本発明に係る画像表示装置は、操作者の操作内容に対応した操作信号を発生する操作手段と、表示手段と、前記操作手段の操作信号に基づいて、記憶手段に格納された画像データを読み出し、前記表示手段に前記画像データによる画像を表示させるとともに、前記操作信号に基づいて表示画像を変更する際に、操作処理中であることを示すアイコンを、その操作内容に応じた位置に表示させる演算手段とを備えたものである。本発明においては、操作手段の操作信号に基づいて表示手段に画像を表示させるとともに、操作信号に基づいて表示画像を変更する際に、操作処理中であることを示すアイコンを、その操作内容に応じた位置に表示させるようにしたので、アイコンの位置から処理内容を把握することができ、待ち時間が長い場合においてもユーザが感じるストレスが軽減され、不安になるような事態が避けられる。
【０００６】
本発明に係る画像表示装置は、操作者の操作内容に対応した操作信号を発生する操作手段と、表示手段と、前記操作手段の操作信号に基づいて前記表示手段に前記画像データによる画像を表示させるとともに、前記操作信号に基づいて表示画像を変更する際に、前記操作処理内容に対応した形態のアイコンを前記表示手段に表示させる演算手段とを備えたものである。本発明においては、操作手段の操作信号に基づいて表示手段に画像を表示させるとともに、操作信号に基づいて表示画像を変更する際に、前記操作処理内容に対応した形態のアイコンを表示手段に表示させるようにしたので、アイコンの形態から処理内容を把握することができ、待ち時間が長い場合においてもユーザが感じるストレスが軽減され、不安になるような事態が避けられる。
【０００７】
本発明に係る画像表示装置において、前記演算手段は、前記操作処理内容に対応したアイコンを表示させるとともに前記操作内容に応じた位置に表示させる。本発明においては、前記操作処理内容に対応した形態のアイコンを表示させるとともに前記操作内容に応じた位置に表示させるようにしたので、アイコンの形状及び位置の両方から処理内容を把握することができるので、待ち時間が長い場合においてもユーザが感じるストレスが軽減される。
【０００８】
本発明に係る画像表示装置において、前記演算手段は、前記操作信号に基づいて表示画像を変更する際に、その変更処理が完了するまでの所要時間又は所要処理量に対する現在までの処理量を示す情報を前記表示手段に表示させる。本発明においては、上記のアイコンを表示させるだけでなく、変更処理が完了するまでの所要時間又は所要処理量に対する現在までの処理量を示す情報を表示させるので、処理内容が把握できるだけでなく、処理が完了するまでの時間を予測することができる。
【０００９】
本発明に係る画像表示装置において、前記演算手段は、前記画像データに含まれる付加情報を前記表示手段に表示させる。前記画像データに含まれる付加情報、例えば画像のタイトル、画像のサイズ等の情報を表示させることにより、現在扱っている画像データの内容を把握することができる。
【００１０】
本発明に係る電子機器は、上記に記載の画像表示装置が搭載されたものであり、画像処理による待ち時間が長い場合であっても、ユーザのストレスは軽減される。
【発明を実施するための最良の形態】
【００１１】
実施形態１．
図１は本発明の実施形態１に係る画像表示装置の構成を示したブロック図である。ＣＰＵ１０（演算手段）には、操作部１１及びメモリカードインターフェース（以下、メモリカードＩ／Ｆという）１２がそれぞれ接続されており、操作部１１からは操作信号を取り込み、メモリカードＩ／Ｆ１２からは例えばそれに装着されたメモリカード（図示せず）から画像データ等を取り込む。また、ＣＰＵ１０にはメモリ１３が接続されており、このメモリ１３にはＣＰＵ１０の演算処理を規定するためのプログラム、各種データ（例えば操作内容に応じたアイコン及びその表示位置のデータ等）が格納される。更に、ＣＰＵ１０には表示制御装置１４が接続されており、表示制御装置１４にはＶＲＡＭ（フレームメモリ）１５及び液晶コントローラ１６が接続されている。表示制御装置１４は、ＣＰＵ１０からの画像データを例えば圧縮の解凍等を行った後、ＶＲＡＭ１５に展開してフレームを画像を生成し、更に、そのフレーム画像を読み出して液晶コントローラ１６に出力し、液晶コントローラ１６はフレーム画像に所定の信号処理を施して表示部（液晶ディスプレイ）１７に画像を表示させる。本実施形態１において、ＣＰＵ１０は、詳細は後述するが、画像処理をする際には、その処理内容に応じた形態のアイコン等を表示部（表示手段）１７に表示させるための処理をする。
【００１２】
図２は図１の画像表示装置の演算処理の過程を示したフローチャートである。ＣＰＵ１０は、例えばメモリカード（図示せず）が装着された状態で、操作部１１からの操作信号の入力があると、その操作信号に基づいてはメモリカードの画像を選択し（Ｓ１）、その画像データを読み込んで表示制御装置１４に出力する（Ｓ２）。表示制御装置１４はその画像データに解凍等の処理を施してＶＲＡＭ１５に展開してフレーム画像を生成し、そのフレーム画像を読み出して液晶コントローラ１６に出力し、液晶コントローラ１６はフレーム画像にＤ／Ａ変換処理等の所定の信号処理を施して表示部１７に上記にて選択された画像を表示させる（Ｓ３）。この一連の処理（Ｓ１〜Ｓ３）は従来の処理方法と同一であるが、本実施形態においては、画像選択（Ｓ１）がなされた後に、上記の処理（Ｓ１〜Ｓ３）と平行して、アイコンの生成・表示のための処理（Ｓ４）を行う点に特徴があり、その詳細を図３に基づいて説明する。
【００１３】
図３は図２の処理（Ｓ４）の詳細を示したフローチャートである。
ＣＰＵ１０は操作部１１からの操作信号に基づいてイベントの有無を検出する（Ｓ４１）。ここで、イベントとは次頁操作、前頁操作等の操作を意味しており、それに対応した操作信号に基づいて判断されることになる。ＣＰＵ１０はイベントを検出すると、それが次頁操作であるかどうかを判断し（Ｓ４２）、次頁操作である場合には、次頁操作に対応したアイコン及び表示位置のデータをメモリ１３から読み出して取得する（Ｓ４３）。また、イベントが次頁操作ではない場合には、前頁操作であるかどうかを判断し（Ｓ４４）、前頁操作であると判断した場合には、前頁操作に対応したアイコン及びその表示位置のデータをメモリ１３から読み出して取得する（Ｓ４５）。イベントが前頁操作ではない場合には、一画面操作（拡大表示操作）であるかどうかを判断し（Ｓ４６）、イベントが一画面操作であると判断した場合には、それに対応したアイコン及び表示位置のデータをメモリ１３から読み出して取得する（Ｓ４６）。ＣＰＵ１０は、以上のような処理をして、イベントの種類に対応した形態のアイコンと表示位置のデータが得られると表示制御装置１４に出力する。表示制御装置１４はそれらの情報に基づいてアイコンをＶＲＡＭ１５にＯＳＤ（On Screen Display）のための処理をして描画するとともに、それを読み出して液晶コントローラ１６に出力し、表示部１７に表示させる。
【００１４】
図４はサムネイル表示エリアに複数の画像が表示されている状態から、次頁表示（若しくは前頁表示）の操作をし、又は１画面表示の操作をしたときの状態を表示したものであり、何れも上記の処理（Ｓ１）〜（Ｓ３）に相当するが、本実施形態１においては、図５及び図６に示されるように、元の画像上にアイコンが表示される。
【００１５】
図５は次頁表示の操作をしたときの表示状態であり、ここでは次頁に移行するので、砂時計５０を表示した他に、次頁に移行していることを示すための矢印５１を表示画面の下部に、即ち次頁側に表示している。更に、その次頁が「２／７」頁であることを矢印５１の近傍の領域５２に表示している。このような表示をすることにより、処理内容が次頁（２／７）への移行処理であることがユーザによって認識されるので、ユーザの待機によるストレスが減少される。
【００１６】
図６は１画面表示（拡大表示）の操作をしたときの表示状態であり、ここで選択された画像内に、拡大の処理していることを示すためのアイコン５３を表示しており、このアイコン５３は小さな四角形５４と大きな四角形５５と表示するとともに矢印５６を表示して、処理内容が拡大表示であるとを表示している。また、その選択された画像の近傍領域に５７にその倍率（×１０）を表示して倍率の程度を表示させている。
【００１７】
図７は上記の選択された画像上に表示されるアイコン（処理内容に対応した形態のアイコン）の例を示した説明図であり、（ａ）はカラー画像をモノクロ画像に変換するアイコン５８の例を示しており、（ｂ）は画像９０度回転して表示させる場合のアイコン５９の例を示している。
【００１８】
実施形態２．
図８は図１の画像表示装置が搭載されたパソコンの正面図を示すものであり、上記の画像表示装置が搭載されたことにより操作処理の待機時のユーザのストレスが軽減される。
【００１９】
実施形態３．
なお、上記の実施形態１においては、イベントの例として次頁操作、前頁操作及び１画面表示（拡大表示）の例について説明したが、トリミングを含めて他の操作時における処理中における画像表示においても同様に適用される。また、上記の選択された画像上に表示されるアイコンや画像の付加情報の例についても、上記の例に限定されるものではなく、付加情報としては例えば画像のタイトル、画像のサイズ等を適宜表示させることができる。
また、変更処理が完了するまでの所要時間又は所要処理量に対する現在までの処理量を示す情報として砂時計を表示する例について説明したが、他の表示態様、例えばプログレスバーを表示させるようにしてもよい。また、画像データが格納された記憶手段としてメモリカードの例について説明したが、外部の他の記憶媒体であってもよいし、パソコンに内蔵された記憶手段に画像データが格納された場合においても本発明は同様に適用される。更に、上記の実施形態２においては、上記の画像表示装置が搭載された電子機器の例としてパソコンの例を挙げたが、それに限定されるものではなく、プロジェクションテレビ、デジタルカメラ、携帯電話、ＰＤＡを含めて他の電子機器においても同様に適用される。
【００２０】
また、上記の実施形態１においては表示手段として表示部（液晶ディスプレイ）１７の例について説明したが、ＣＲＴであってもよく、その場合には液晶コントローラ１６に代えて、ＣＲＴ用の制御装置を用いることになる。また、画像データが格納されている記憶手段としてメモリカードの例について説明したが、例えば図１のメモリ１３に格納された画像データ等を表示する場合においても本発明は同様に適用される。
【図面の簡単な説明】
【００２１】
【図１】本発明の実施形態１に係る画像表示装置の構成を示したブロック図。
【図２】図１の画像表示装置の演算処理の過程を示したフローチャート。
【図３】図２の処理（Ｓ４）の詳細を示したフローチャート。
【図４】サムネイル表示エリアに表示されている画像を変更するときの説明図。
【図５】次頁表示の操作をしたときの表示状態を示した図。
【図６】画面表示（拡大表示）の操作をしたときの表示状態を示した図。
【図７】表示される情報の例を示した説明図。
【図８】図１の画像表示装置が搭載されたパソコンの正面図。
【符号の説明】
【００２２】
１０  ＣＰＵ、１１  操作部、１３  メモリ、１４  表示制御装置、１５  ＶＲＡＭ、１６  液晶コントローラ、１７  表示部。
【図１】
2005242699.tif 000003
【図２】
2005242699.tif 000004
【図３】
2005242699.tif 000005
【図４】
2005242699.tif 000006
【図５】
2005242699.tif 000007
【図６】
2005242699.tif 000008
【図７】
2005242699.tif 000009
【図８】
2005242699.tif 000010